(57)【要約】【課題】圧縮されていない画像データを伝送する際に、実装を簡略化しつつ、画質を一定以上に保つことができること、すなわち、伝送が正確でない場合でも、アナログ量の量子化結果に大きな影響を与えないようにすることができる、データ伝送装置、方法及びプログラムを提供する。【解決手段】本発明のデータ伝送装置は、アナログ量の量子化ビットを伝送するデータ伝送装置において、アナログ量の量子化ビットを、複数の部分に分割する量子化ビット分割手段と、量子化ビット分割手段により分割された上記複数の部分のそれぞれを送信する送信手段とを備えることを特徴とするデータ伝送装置。【選択図】      図１
2009033518.tif 000002
【特許請求の範囲】
【請求項１】
アナログ量の量子化ビットを伝送するデータ伝送装置において、
上記アナログ量の量子化ビットを、複数の部分に分割する量子化ビット分割手段と、
上記量子化ビット分割手段により分割された上記複数の部分のそれぞれを送信する送信手段と
を備えることを特徴とするデータ伝送装置。
【請求項２】
上記量子化ビット分割手段が、
上記アナログ量の量子化ビットを複数用いて、上記各量子化ビットの並び替えを行うビット配列並替部と、
上記ビット配列並替部により並び替えられたデータを、並び替え前の上記アナログ量に対する影響度に応じて、複数の部分に分割する分割部と
を有することを特徴とする請求項１に記載のデータ伝送装置。
【請求項３】
上記量子化ビット分割手段が、上記アナログ量の量子化ビットの上位ビット部分と下位ビット部分とに分割することを特徴とする請求項１又は２に記載のデータ伝送装置。
【請求項４】
上記量子化ビット分割手段が、上記アナログ量の量子化ビットのうち、比較的影響度の大きい部分とそれ以外の部分とに分割することを特徴とする請求項１〜３のいずれかに記載のデータ伝送装置。
【請求項５】
上記量子化ビット分割手段により分割された複数の部分のうち、上位ビット部分を符号化する符号化手段を備えることを特徴とする請求項１〜４のいずれかに記載のデータ伝送装置。
【請求項６】
アナログ量の量子化ビットを受信するデータ伝送装置において、
上記アナログ量の量子化ビットが複数に分割された分割データを受信する受信手段と、
上記受信手段が受信した上記複数の分割データに基づいて、上記アナログ量の量子化ビットを復元する量子化ビット復元手段と
を備えることを特徴とするデータ伝送装置。
【請求項７】
上記量子化ビット復元手段が、受信した上記複数の分割データを用いて、ビットの並び替えをして送信側のビットの並びに戻すビット配列復元部を有することを特徴とする請求項６に記載のデータ伝送装置。
【請求項８】
受信した上記分割データのうち、符号化されているデータを復号する復号手段を備えることを特徴とする請求項６又は７に記載のデータ伝送装置。
【請求項９】
アナログ量の量子化ビットを伝送するデータ伝送方法において、
量子化ビット分割手段が、上記アナログ量の量子化ビットを、複数の部分に分割する量子化ビット分割工程と、
送信手段が、上記量子化ビット分割手段により分割された上記複数の部分のそれぞれを送信する送信工程と
を有することを特徴とするデータ伝送方法。
【請求項１０】
アナログ量の量子化ビットを受信するデータ伝送方法において、
受信手段が、上記アナログ量の量子化ビットが複数に分割された分割データを受信する受信工程と、
量子化ビット復元手段が、上記受信手段が受信した上記複数の分割データに基づいて、上記アナログ量の量子化ビットを復元する量子化ビット復元工程と
を有することを特徴とするデータ伝送方法。
【請求項１１】
アナログ量の量子化ビットを伝送するデータ伝送プログラムにおいて、
コンピュータに、
上記アナログ量の量子化ビットを、複数の部分に分割する量子化ビット分割手段、
上記量子化ビット分割手段により分割された上記複数の部分のそれぞれを送信する送信手段
として機能させることを特徴とするデータ伝送プログラム。
【請求項１２】
アナログ量の量子化ビットを受信するデータ伝送プログラムにおいて、
コンピュータに、
上記アナログ量の量子化ビットが複数に分割された分割データを受信する受信手段、
上記受信手段が受信した上記複数の分割データに基づいて、上記アナログ量の量子化ビットを復元する量子化ビット復元手段
として機能させることを特徴とするデータ伝送プログラム。
【発明の詳細な説明】
【技術分野】
【０００１】
本発明は、データ伝送装置、方法及びプログラムに関し、特に、非圧縮映像を伝送する装置において、実装を簡略化しつつ、画質を一定以上に保つ通信制御方法を備えたデータ伝送装置、方法及びプログラムに関するものである。
【背景技術】
【０００２】
一般に、動画像には、圧縮された映像と、圧縮されていない映像とがある。圧縮映像は、データのサイズを縮小することが可能であるが、エンコーダとデコーダとが必要となる。これに対して、非圧縮映像は、圧縮されないため、データのサイズは縮小されないが、エンコーダとデコーダとを必要としない。そこで、動画像を利用する場合には、その用途に応じて、圧縮映像を用いるか又は非圧縮映像を用いるかを使い分けることができる。
【０００３】
例えば、近年のデジタル放送等では圧縮映像を伝送しているが、圧縮符号化処理に係る処理遅延が問題となる。これに対して、非圧縮映像を伝送する場合には、圧縮符号化処理に係る遅延は生じないが、非圧縮映像を伝送するため、伝送データのサイズが非常に大きくなってしまう。
【０００４】
また、従来、非圧縮映像伝送技術においては、処理遅延の対策技術（特許文献１参照）や、通信効率を改善させる技術（特許文献２参照）等が開示されている。
【０００５】
【特許文献１】特開２００５−７２８４１号公報
【特許文献２】特開２００５−６５１２０号公報
【発明の開示】
【発明が解決しようとする課題】
【０００６】
ところで、例えば無線伝送装置のように、データ伝送技術においては、劣悪な環境下でも正確に通信が行なえるように、誤り耐性を向上させる必要がある。そのため、データ伝送技術では、誤り訂正機能を備えることが不可欠となる。
【０００７】
しかしながら、誤り訂正技術は、伝送データサイズに応じて、その負荷が大きくなる。そのため、従来の非圧縮映像伝送技術に誤り訂正技術を適用すると、伝送データサイズが非常に大きくなるため、誤り訂正処理に係る負荷も非常に大きくなってしまい、誤り訂正処理を実現することが不可能、あるいは、非常に処理能力が高いモジュールを実装する必要がある。
【０００８】
そのため、圧縮されていない画像データを伝送する際に、実装を簡略化しつつ、画質を一定以上に保つことが求められている。
【０００９】
また、画像データに限らず、例えば音声信号等のような、他の信号のアナログ量を示す量子化データ（量子化ビットともいう）を正確に伝送することが求められている。
【００１０】
そこで、本発明は、上記課題に鑑み、正確な伝送ができない場合でも、アナログ量を示す量子化結果に大きく影響しないことができる、データ伝送装置、方法及びプログラムを提供する。
【課題を解決するための手段】
【００１１】
かかる課題を解決するために、第１の本発明のデータ伝送装置は、アナログ量の量子化ビットを伝送するデータ伝送装置において、（１）アナログ量の量子化ビットを、複数の部分に分割する量子化ビット分割手段と、（２）量子化ビット分割手段により分割された複数の部分のそれぞれを送信する送信手段とを備えることを特徴とする。
【００１２】
ここで、アナログ量の量子化ビットとは、例えば、動画像データや静止画像データの色を表現する色データや色要素データや、音声を表現する量子化データ等を広く適用できる。
【００１３】
第２の本発明のデータ伝送装置は、アナログ量の量子化ビットを受信するデータ伝送装置において、（１）アナログ量の量子化ビットが複数に分割された分割データを受信する受信手段と、（２）受信手段が受信した複数の分割データに基づいて、アナログ量の量子化ビットを復元する量子化ビット復元手段とを備えることを特徴とする。
【００１４】
第３の本発明のデータ伝送方法は、アナログ量の量子化ビットを伝送するデータ伝送方法において、（１）量子化ビット分割手段が、アナログ量の量子化ビットを、複数の部分に分割する量子化ビット分割工程と、（２）送信手段が、量子化ビット分割手段により分割された上記複数の部分のそれぞれを送信する送信工程とを有することを特徴とする。
【００１５】
第４の本発明のデータ伝送方法は、アナログ量の量子化ビットを受信するデータ伝送方法において、（１）受信手段が、アナログ量の量子化ビットが複数に分割された分割データを受信する受信工程と、（２）量子化ビット復元手段が、受信手段が受信した複数の分割データに基づいて、アナログ量の量子化ビットを復元する量子化ビット復元工程とを有することを特徴とする。
【００１６】
第５の本発明のデータ伝送プログラムは、アナログ量の量子化ビットを伝送するデータ伝送プログラムにおいて、コンピュータに、（１）アナログ量の量子化ビットを、複数の部分に分割する量子化ビット分割手段、（２）量子化ビット分割手段により分割された上記複数の部分のそれぞれを送信する送信手段として機能させることを特徴とする。
【００１７】
第６の本発明のデータ伝送プログラムは、アナログ量の量子化ビットを受信するデータ伝送プログラムにおいて、コンピュータに、（１）アナログ量の量子化ビットが複数に分割された分割データを受信する受信手段、（２）受信手段が受信した複数の分割データに基づいて、アナログ量の量子化ビットを復元する量子化ビット復元手段として機能させることを特徴とする。
【発明の効果】
【００１８】
本発明によれば、圧縮されていない画像データを伝送する際に、実装を簡略化しつつ、画質を一定以上に保つことができる。
【発明を実施するための最良の形態】
【００１９】
（Ａ）第１の実施形態
以下、本発明のデータ伝送装置、方法及びプログラムの第１の実施形態を、図面を参照しながら説明する。
【００２０】
第１の実施形態は、圧縮処理をしていない非圧縮映像データを伝送する非圧縮映像伝送装置に、本発明を適用した場合を例に挙げて説明する。
【００２１】
（Ａ−１）第１の実施形態の構成
図１は、第１の実施形態の非圧縮映像伝送装置の内部構成を示す内部構成図である。図１（Ａ）は、非圧縮映像伝送装置１の送信側１Ａであり、図１（Ｂ）は、非圧縮映像伝送装置１の受信側１Ｂである。
【００２２】
図１（Ａ）において、非圧縮映像伝送装置１の送信側１Ａは、映像データ発生部１１、映像データ解析部１２、インタリーブ部１３、符号化部１４、フレーム作成部１５、送信部１６、を少なくとも有して構成される。
【００２３】
図１（Ｂ）において、非圧縮映像伝送装置１の受信側１Ｂは、映像データ処理部２１、映像データ変換部２２、デインタリーブ部２３、復号部３４、フレーム解析部２５、受信部２６、を少なくとも有して構成される。
【００２４】
以下では、非圧縮映像伝送装置１の送信側１Ａの内部構成を説明した後に、受信側１Ｂの内部構成を説明する。
【００２５】
映像データ発生部１１は、伝送する映像データを作成し、作成した影像データを映像データ解析部１２に与えるものである。
【００２６】
映像データ解析部１２は、映像データ発生部１１から映像データを受け取り、その映像データを解析し、映像データを構成する複数の色データを抽出し、これら色データをインタリーブ部１３に与えるものである。
【００２７】
ここで、一般に、映像データは複数の色データを有して構成される。色データは、赤・緑・青（ＲＧＢ）の３要素で表現されるデータであり、ＲやＧやＢといった色を表現する要素のデータを色要素データという。
【００２８】
この色要素データは、それぞれ、０〜２５５の値を取り、８ビットで表現されるものとする。例えば、図２は、色要素データを説明する説明図である。図２では、色要素データが、Ｒ、Ｇ、Ｂ、Ｒ、Ｇ、Ｂ、…の順に連続して構成される映像データを考える。図２において、映像データの一番左に位置する色要素データ「Ｒ」は、例えば、「10110111（２進法）」の８ビットで表現される。
【００２９】
インタリーブ部１２は、映像データ解析部１２から映像データを構成する各色要素データを受け取ると、各色要素データを一時的に保持し、各色要素データに対して所定のインタリーブ処理を行なうものである。
【００３０】
また、インタリーブ部１２は、インタリーブ処理を施すと、符号化処理が必要なデータについては符号化部１４に与え、また、符号化処理が必要でないデータについてはフレーム作成部１５に与えるものである。
【００３１】
ここで、図３及び図４を用いて、映像データの伝送中に発生し得るビットエラーについて説明しながら、第１の実施形態の基本的な概念を説明する。なお、図３では、説明便宜上、１つの色要素データに対して、１ビットだけエラーが生じた場合を例示して説明する。
【００３２】
図３において、８ビットの色要素データが「10110111（２進法）」であり、色を示す値が「９１（１０進法）」であるとする。そうすると、ビットエラーが生じなかった場合には、図３（Ａ）に示すように、受信側では、そのまま「10110111（２進法）」が得られ、色を示す値が「９１（１０進法）」であることを把握できる。
【００３３】
しかし、伝送中にビットエラーが生じると、受信側では、送信側からの色要素データを正しく復号することができず、異なる値としてしまう。
【００３４】
例えば、図３（Ｂ）の例のように、最上位ビット（ＭＳＢ；Most  Significant  Bit:最上位ビット）がエラーを起こした場合、受信側では「00110111（２進法）」が得られ、色を示す値が「５１（１０進法）」であると判断する。また、図３（Ｃ）の例のように、最下位ビット（ＬＳＢ；Least  Significant  Bit）がエラーを起こした場合、受信側では「10110110（２進法）」が得られ、色を示す値が「９０（１０進法）」であると判断する。
【００３５】
ところで、色を示す値（色の要素情報）は、上述したように０〜２５５の２５６段階で表現されるが、値が近いほど、視覚的に近い色になる。
【００３６】
そうすると、図３（Ｂ）及び（Ｃ）のように、ビットエラーが生じた場合でも、正しい値に近い場合には、正しい色と近い色を出力することができ、正しい値から大きく異なる場合には、正しい色から離れた色を出力することとなる。
【００３７】
つまり、図３（Ｃ）の場合、正しい色との差分をとると、「１（＝９１−９０）」しか変わらないから、比較的正しい色に近い色を出力することができ、図３（Ｂ）の場合、「４０（＝９１−５１）」だけ異なることとなるから、比較的正しい色から離れた色が出力されてしまう。
【００３８】
このように、色要素データにおけるビットエラーであっても、そのエラーが生じたビットの位置によって、色への影響度は大きく異なる。上記の場合では、図４に示すように、８ビットの最初のビットに近いほど、色への影響度は大きく、最後のビットに近いほど、色への影響度は小さい。
【００３９】
そこで、第１の実施形態では、色要素データにおいて、色への影響度が比較的大きいビットについては誤り訂正符号化処理を施し、色への影響度が比較的に小さいビットについては誤り訂正符号化処理を施さないで伝送するようにする。
【００４０】
図５は、インタリーブ部１３の機能構成を示す内部構成図である。図５に示すように、インタリーブ部１３は、インタリーブ処理部３１、影響度大部分抽出部３２、影響度小部分抽出部３３、を少なくとも有する。
【００４１】
インタリーブ処理部３１は、色要素データを構成するビットの位置を並び替えるものである。インタリーブ処理部３１は、例えば、行列配置された複数の色要素データに対して、例えば行列の転置と同様の処理を行なうことで、ビット位置の並び替えを行なう。なお、インタリーブ処理については、動作の項で詳細に説明する。
【００４２】
影響度大部分抽出部３２は、インタリーブ処理部３１により並び替えがなされたデータのうち、色の影響度が大きい部分を抽出し、抽出した部分を符号化部１４に与えるものである。
【００４３】
影響度小部分抽出部３３は、インタリーブ処理部３１により並び替えがなされたデータのうち、色の影響度が小さい部分（影響度大部分抽出部３２が抽出した部分以外の部分）を、フレーム作成部１５に与えるものである。
【００４４】
このとき、影響度大部分抽出部３２がどの部分を抽出するかは、予め設定することができる。例えば、８ビットの色要素データのうち、最初の２ビットを、色の影響度が大きき部分として設定することができる。この設定は、設計者等により任意に決定することができるものである。
【００４５】
符号化部１４は、インタリーブ部１３から与えられたデータに対して、所定の誤り訂正符号化処理を行ない、符号化されたデータをフレーム作成部１５に与えるものである。ここで、符号化部１４による符号化方式は、特に限定されるものではなく、広く適用することができる。
【００４６】
フレーム作成部１５は、インタリーブ部１４及び符号化部１３から受け取ったデータをペイロードに格納し、所定フォーマットのフレームを作成するものである。また、フレーム作成部１５は、作成したフレームを送信部１６に与えるものである。
【００４７】
このとき、フレーム作成部１５は、符号化処理を行なったデータと、符号化処理を行なっていないデータとを区別するために、識別情報（例えばフラグ）を付すようにする。
【００４８】
送信部１６は、フレーム作成部１５からのフレームに対して変調処理を施して、送信するものである。
【００４９】
受信部２６は、到来した信号を受信し、フレームに復調して、復調したフレームをフレーム解析部２５に与えるものである。
【００５０】
フレーム解析部２５は、受信部２６からフレームを受け取り、フレームのペイロード部分に基づいてフレーム種類を判断し、復号処理が必要なフレームを復号部２４に与え、また、復号処理が必要でないフレームをデインタリーブ部２３に与えるものである。
【００５１】
復号部２４は、フレーム解析部２５から受け取ったデータに対して復号処理を施し、復号したデータをデインタリーブ部２３に与えるものである。
【００５２】
デインタリーブ部２３は、フレーム解析部２５又は復号部２４から受け取ったデータをバッファに一時的に格納し、当該データにデインタリーブ処理を行なうものである。また、デインタリーブ部２３は、デインタリーブ処理されたデータを、映像データ変換部２２に与えるものである。
【００５３】
映像データ変換部２２は、デインタリーブ部２３からのデータに基づいて、元の映像データのフォーマットに変換して、映像データ処理部２１に与えるものである。
【００５４】
映像データ処理部２１は、映像データ変換部２２からの映像データに基づいて、所定の映像処理を施して、映像を出力するものである。
【００５５】
（Ａ−２）第１の実施形態の動作
次に、第１の実施形態の非圧縮映像伝送装置１における処理動作を図面を参照しながら説明する。
【００５６】
まず、映像データ発生部１１において、所定フォーマットの映像データが生成されると、その映像データが映像データ解析部１２に与えられる。この映像データは、赤、緑、青の色要素データを有するフォーマット構成である。
【００５７】
映像データ発生部１１からの映像データは、映像データ解析部１２によりデータ解析され、映像データを構成する８ビット毎の色要素データに分解されて、インタリーブ部１３に与えられる。
【００５８】
図６は、映像データの色要素データのビット配列例を示す。例えば、映像データ解析部１２は、図６に示すように、色要素データ（１）「10110111」、色要素データ（２）「00110111」、色要素データ（３）「10110111」、…のように、映像データを８ビット毎の色要素データに分解する。
【００５９】
映像データ解析部１２により分解された色要素データがインタリーブ部１３に与えられると、インタリーブ部１３では、所定のインタリーブ処理が行なわれ、色への影響度の違いに応じた処理を行なう。
【００６０】
図７は、インタリーブ部１３における処理を示すフローチャートである。なお、図７は、インタリーブ部１３における処理がわかり易く説明するために、完結的な処理として示すが、インタリーブ部１３は、色要素データの受信に伴い繰り返し行なわれるものである。
【００６１】
図７において、まず、映像データ解析部１２から色要素データが与えられると（ステップＳ１０１）、色要素データは、インタリーブ部１３が有するバッファにより一時的に格納される（ステップＳ１０２）。
【００６２】
図８は、インタリーブ部１３によるインタリーブ処理を説明する説明図である。図８において、インタリーブ部１３は、（９×８）行列のバッファを備える。
【００６３】
例えば、映像データ解析部１２により分解された色要素データ（１）「10110111」は、インタリーブ部１３のバッファの最上位の行の、左端から順に格納される。そして、次の色要素データ（２）「00110111」は、色要素データ（１）のすぐ下の行の、左端から順に格納される。このように、映像データ解析部１２から与えられたデータは、直前データが格納された行のすぐ下の行に、左端から順番に格納されていく。
【００６４】
そして、９個の色要素データが格納されると（ステップＳ１０３）、インタリーブ部１３は、図８に示すように、行列の転置と同様の処理を行ない、データ群の並べ替えを行なう（ステップＳ１０４）。
【００６５】
このインタリーブ処理とは、一般的に、誤り訂正効果を高めるために、ビットの位置を作為的に入れ替える処理のことである。第１の実施形態では、行列の転置に相当する配置変換を行なって、ビットの並び替えをしたが、配置変換の方式は、特に限定されるものではなく、広く適用することができる。
【００６６】
また、インタリーブ部１３のバッファの段数を９段として説明したが、バッファの段数は、受信側との関係で整合できれば、特に限定されるものではない。
【００６７】
インタリーブ処理により、ビットの配置変換がなれると、インタリーブ部１３では、影響度大部分抽出部３２及び影響度小部分抽出部３３により、色への影響度が大きいビット部分及びそれ以外の部分とが分離される（ステップＳ１０５）。
【００６８】
そして、色への影響度が大きいビット部分は符号化部１４に与えられ、それ以外の色への影響度が小さいビット部分は、符号化部１４を介さず、フレーム作成部１５に与えられる（ステップＳ１０６）。
【００６９】
つまり、色への影響度が比較的大きい部分については、誤り訂正処理を施すことにより信頼性を持たせて伝送する。また、色への影響度が比較的小さい部分については、非圧縮データとして伝送する。
【００７０】
これにより、誤り訂正処理は色への影響度が大きい部分だけであるから、その負担が過大になることなく、かつ、ビットエラーが生じた場合でも、ある程度の画質を保持することができる。
【００７１】
例えば、図９に示すように、ビットエラーによる色への影響度が大きいとするビットは、インタリーブ処理後の最上位から２段分と設定する。そうすると、影響度大部分抽出部３２は、インタリーブ処理後の最上位から２段分のビット群を抽出し、このビット群を符号化部１４に与える。また、影響度小部分抽出部３３は、最上位から２段分以外の６段分のビット群を、色への影響度が小さいとするビットとして抽出し、このビット群をフレーム作成部１５に与える。
【００７２】
なお、第１の実施形態では、インタリーブ処理後の最上位から２段分のビット群を、色への影響度が大きいビットと設定した場合を示すが、これに限定されず、例えば、最上位の１段分のビットとしたり、最上位から３段分のビットとしたりすることができる。
【００７３】
インタリーブ部１３からのビット群が符号化部１４に与えられると、符号化部１４により、所定の誤り訂正符号化処理が行なわれる。そして、誤り訂正符号化処理がなされたデータは、フレーム作成部１５に与えられる。なお、符号化部１４による誤り訂正符号化処理について、ここでの詳細な説明は省略するが、既存の誤り訂正符号化処理を広く適用することができる。
【００７４】
フレーム作成部１５では、インタリーブ部１３からのデータと、符号化部１４からの符号化されたデータとをペイロードとするフレームを形成する。このとき、符号化処理を行なったデータと、符号化処理を行なっていないデータとを区別する識別情報を付与する。
【００７５】
フレーム作成部１５により作成されたフレームは、送信部１６に与えられ、所定の変調処理により送信信号に変換されて、送信される。
【００７６】
送信側の送信部１６から送信された送信信号は、受信側の受信部２６により受信され、受信信号はフレームに変換されて、フレーム解析部２５に与えられる。
【００７７】
フレーム解析部２５では、受信されたフレームのペイロード部分に含まれているデータが抽出される。
【００７８】
このとき、フレーム解析部２５では、識別情報に基づいて、復号処理が必要なデータであるか又は必要でないデータであるかが判断され、復号処理が必要なデータは復号部２４に与えられ、また、復号処理が必要でないデータは、復号部２４を介さず、デインタリーブ処理部２３に与えられる。
【００７９】
復号部２４では、フレーム解析部２５からのデータを所定の復号処理を行なう。復号部２４では、伝送中にビットエラーによる誤りが生じている場合に、誤り訂正符号により、その誤りを訂正して、デインタリーブ部２３に与える。
【００８０】
デインタリーブ部２３では、復号部２４により復号されたデータと、フレーム解析部２５からのデータとを受け取ると、これらのデータを用いてデインタリーブ処理を行なう。
【００８１】
図１０は、デインタリーブ部２３における処理を示すフローチャートである。なお、図１０は、デインタリーブ部２３における処理がわかり易く説明するために、完結的な処理として示すが、デインタリーブ部２３は、データの受信に伴い繰り返し行なわれるものである。
【００８２】
図１０において、まず、復号部２４により復号されたデータと、フレーム解析部からのデータとが、デインタリーブ部２３に与えられると（ステップＳ２０１）、デインタリーブ部２３が有するバッファに格納される（ステップＳ２０２）。なお、デインタリーブ部２３は、（８×９）行列のバッファを有する。
【００８３】
図１１に示すように、復号部２４からは、９ビットの復号データが２個出力され、各データは、バッファの上から１段目及び２段目に、順に格納される。また、フレーム解析部２５からは、９ビットのデータが６個出力され、各データは、バッファの上から３段目〜８段目に、順に格納される。
【００８４】
これにより、色への影響度が大きいものについては、バッファの上から１段目及び２段目に格納され、色への影響度が小さいものについては、バッファの上から３段目〜８段目に格納される。
【００８５】
そして、８個のデータがバッファに格納されると、デインタリーブ部２３により、図１２に示すようなデインタリーブ処理が行なわれ（ステップＳ２０３）、映像データ変換部２２に与えられる（ステップＳ２０４）。
【００８６】
このデインタリーブ処理は、インタリーブ処理の逆処理であり、再度、行列の転置に相当するものである。
【００８７】
図１２に示すように、デインタリーブ処理後は、インタリーブ処理前と同様に、左列に行くほど、色への影響度が大きくなり、右列に行くほど、色への影響度が小さくなる。
【００８８】
デインタリーブ処理が施された色要素データが、映像データ変換部２２に与えられると、映像データ変換部２２により所定の映像フォーマットに変換されて、映像データ処理部２１に与えられる。そして、映像データ処理部２１では、所定の映像フォーマットの映像データに基づいて所定の映像処理がなされる。
【００８９】
（Ａ−３）第１の実施形態の効果
以上のように、第１の実施形態によれば、色への影響度の大きいデータを選別し、このデータのみに誤り訂正処理を行なうことにより、誤り訂正処理の負荷を軽減させつつ、ビットエラーが発生した場合でも、一定以上の画質を保つことができる。
【００９０】
（Ｂ）他の実施形態
第１の実施形態で説明した処理は、基本的には、ソフトウェア処理で実現するものである。つまり、例えば、ＣＰＵが、ＲＯＭに格納されている処理プログラムを読み出し、データ処理に必要なデータを用いて、処理プログラムを実行することにより、第１の実施形態で説明した機能を実現する。なお、第１の実施形態の処理を、ハードウェアにより実現するようにしてもよい。
【００９１】
第１の実施形態では、伝送するデータが動画像データである場合を想定して説明したが、静止画像を伝送する場合にも、本発明を適用することができる。
【００９２】
第１の実施形態では、色への影響度が比較的大きいデータ部分と、それ以外の色への影響度が比較的小さいデータ部分との２グループに分離する場合を説明したが、３グループ以上に分離するようにしてもよい。この場合、例えば、符号化の処理負荷が異なる複数の符号化処理を行なう場合に、色への影響度が一番大きい第１グループには、高精度の符号化処理（処理負荷の比較的重いもの）を採用し、２番目に影響度が大きい第２グループには、低精度の符号化処理を採用し、第３グループには、符号化処理を行なわないようにすることで、第１の実施形態と同様の効果を得ることができる。
【００９３】
第１の実施形態では、色を表現する色要素データを伝送する場合を説明したが、色要素データのほかにも、例えば、複数の段階からなる信号特徴のうち、どの段階のものであるかを示すデータを伝送する場合にも本発明を適用することができる。
【図面の簡単な説明】
【００９４】
【図１】第１の実施形態の非圧縮映像伝送装置の内部構成を示す内部構成図である。
【図２】映像データが有する色要素データの構成を説明する説明図である。
【図３】伝送中のエラービットによる色への影響度と本発明の基本概念とを説明する説明図である（その１）。
【図４】伝送中のエラービットによる色への影響度と本発明の基本概念とを説明する説明図である（その２）。
【図５】第１の実施形態のインタリーブ部の機能構成を示すブロック図である。
【図６】第１の実施形態の映像データの色要素データのビット配列例を示す図である。
【図７】第１の実施形態のインタリーブ部における処理を示すフローチャートである。
【図８】第１の実施形態のインタリーブ処理を示す説明図である。
【図９】第１の実施形態の色への影響度が大きいデータと影響度が小さいデータとを分割する様子を説明する説明図である。
【図１０】第１の実施形態のデインタリーブ部における処理を示すフローチャートである。
【図１１】第１の実施形態のデインタリーブ部でのデータ格納の様子を説明する説明図である。
【図１２】第１の実施形態のデインタリーブ処理を示す説明図である。
【符号の説明】
【００９５】
１Ａ…非圧縮映像伝送装置の送信側装置、１１…映像データ発生部、１２…映像データ解析部、１３…インタリーブ部、１４…符号化部、１５…フレーム作成部、１６…送信部、
１Ｂ…非圧縮映像伝送装置の受信側装置、２１…映像データ処理部、２２…映像データ変換部、２３…デインタリーブ部、２４…復号部、２５…フレーム解析部、２６…受信部。
【図１】
2009033518.tif 000003
【図２】
2009033518.tif 000004
【図３】
2009033518.tif 000005
【図４】
2009033518.tif 000006
【図５】
2009033518.tif 000007
【図６】
2009033518.tif 000008
【図７】
2009033518.tif 000009
【図８】
2009033518.tif 000010
【図９】
2009033518.tif 000011
【図１０】
2009033518.tif 000012
【図１１】
2009033518.tif 000013
【図１２】
2009033518.tif 000014